(57)【要約】【課題】貯蔵容器の奥に収納された食品を容易に取り出し可能であって、且つ保守点検等のサービス作業が容易な冷蔵庫を得ることを目的とする。【解決手段】冷凍室と冷蔵室とを仕切る仕切断熱部材と、前記冷凍室の奥部に位置して冷却器を収納する冷却器室と、前記冷凍室と前記冷却器室とを区画する着脱可能な区画部材と、該区画部材の前方に位置し前記冷凍室を左右に仕切る左右仕切部材と、該左右仕切部材で仕切られた空間を夫々開閉する扉と、該扉に夫々設けられた扉枠と、該扉枠に夫々支持された収納容器と、を備えた冷蔵庫において、前記左右仕切部材の下部の左右に設けられ前記扉枠を夫々支持するレールを有し、前記左右仕切部材の上部は前記仕切断熱部材に取り付けられ、且つ前記区画部材との間に該区画部材を取り外す空間を有するように設けられ、前記左右仕切部材と前記冷蔵庫内側面との間隔寸法を保持する保持部材を備たことを特徴とする。【選択図】  図１１Ａ
2011058759.tif 000002
【特許請求の範囲】
【請求項１】
冷蔵庫本体に設けられた冷凍室と、
該冷凍室の上方に位置する冷蔵室と、
前記冷凍室と前記冷蔵室とを仕切る仕切断熱部材と、
前記冷凍室の奥部に位置して冷却器を収納する冷却器室と、
前記冷凍室と前記冷却器室とを区画する着脱可能な区画部材と、
該区画部材の前方に位置し前記冷凍室を左右に仕切る左右仕切部材と、
該左右仕切部材で仕切られた空間を夫々開閉する扉と、
該扉に夫々設けられた扉枠と、
該扉枠に夫々支持された収納容器と、を備えた冷蔵庫において、
前記左右仕切部材の下部の左右に設けられ前記扉枠を夫々支持するレールを有し、
前記左右仕切部材の上部は前記仕切断熱部材に取り付けられ、且つ前記区画部材との間に該区画部材を取り外す空間を有するように設けられ、
前記左右仕切部材と前記冷蔵庫内側面との間隔寸法を保持する保持部材を備たことを特徴とする冷蔵庫。
【請求項２】
前記保持部材の一端は前記左右仕切部材と係合し、該保持部材の他端は前記左右仕切部材により左右に仕切られた空間のうち幅寸法の小さい空間側の前記冷蔵庫内壁に取り付けたことを特徴とする、請求項１に記載の冷蔵庫。
【請求項３】
前記保持部材の一端は前記左右仕切部材と係合し、該保持部材の他端は前記左右仕切部材により左右に仕切られた空間のうち負荷重量の小さい空間側の前記冷蔵庫内壁に取り付けたことを特徴とする、請求項１に記載の冷蔵庫。
【請求項４】
前記保持部材の一端は前記左右仕切部材と係合し、該保持部材の他端は前記冷凍室の前方で且つ前記冷凍室の開口の幅方向に設けられた上下仕切部材に取り付けたことを特徴とする、請求項１に記載の冷蔵庫。
【請求項５】
前記レールのうち少なくとも一方が、前記仕切断熱部材と前記左右仕切部材の係合部よりも前記左右仕切部材で仕切られた空間のどちらかに突出したことを特徴とする、請求項１乃至４のいずれかに記載の冷蔵庫。
【発明の詳細な説明】
【技術分野】
【０００１】
本発明は、冷蔵庫に関する。
【背景技術】
【０００２】
冷蔵庫の大形化に伴い、冷蔵庫の幅は広くなる傾向にある。一般的な冷蔵庫の構成は、製氷室と、比較的内容積の小さい第二冷凍室若しくは切換室とを、左右隣り合わせに第一冷凍室内の上方部に設けている。これら左右に並んだ二つの室は、何れも扉の内側に固定された扉枠で食品貯蔵容器を支持して、引き出し式に構成している。そして、冷蔵庫内箱の側面に備えたレールと、上記二つの室の間に設けられた縦仕切断熱壁の両側面に備えたレールとを利用して引き出し可能にしている（例えば、特許文献１参照）。
【０００３】
この特許文献１は、冷凍室内を左右に仕切る縦仕切断熱壁の奥行き寸法を、内箱側のレールの奥行き寸法とほぼ同等の寸法としている。そして、この縦仕切断熱壁には、内箱側のレールと同等寸法のレールが設けられている。
【先行技術文献】
【特許文献】
【０００４】
【特許文献１】特開２０００−９７５５６号公報
【発明の概要】
【発明が解決しようとする課題】
【０００５】
特許文献１の構成は、内箱側レールの奥行き寸法と奥行き寸法が同等の上記縦仕切断熱壁の後端を、庫内の奥部に位置する区画部材と当接させている。このため、区画部材を取り外す場合は、その前に、縦仕切断熱壁を取り外さないと区画部材を取り外すことができない。
【０００６】
即ち、冷却器室には冷却器に付いた霜を解かすヒーター等の電気部品が入っているため、冷蔵庫の点検等の場合、区画部材を取り外す必要がある。しかし、上記縦仕切断熱壁は、内箱の幅方向中間の区画部材に当接している。このため、縦仕切断熱壁を取り外さないと区画部材を取り外すことができず、修理，点検等のサービス時の作業性が悪い。
【０００７】
また、特許文献１は、縦仕切断熱壁を前後二部品に分割して、引き出し寸法を確保している。このため、前後二部品のそれぞれにレールを設け、内箱側レールの長さ寸法と合わせている。この構成では、前後二部品のレールを段差なく直線状に連結することが難しい。段差なく直線状に連結されていない場合は、引き出し扉をスムーズに引き出すことができない。例えば、縦仕切断熱壁が二部品で構成されていることで、部品上の寸法・歪み等のばらつき、或いは、組み立て時の取り付け精度のばらつきにより、内箱側に取り付けられている扉枠との平行状態を確保できない。さらに、保守点検後に、分割された縦仕切断熱壁を元どおりに組み立てることが難しかった。
【０００８】
このように、従来の冷蔵庫は、製氷室扉等の引き出し寸法を十分にとり、しかも、保守点検等のサービス時、左右仕切部材を取り外すことなく、上記区画部材を容易に着脱できない、という課題があった。
【０００９】
そこで、本発明は、貯蔵容器の奥に収納された食品を容易に取り出し可能であって、且つ保守点検等のサービス作業が容易な冷蔵庫を得ることを目的とする。
【課題を解決するための手段】
【００１０】
上記課題を解決するために、本発明は、冷蔵庫本体に設けられた冷凍室と、該冷凍室の上方に位置する冷蔵室と、前記冷凍室と前記冷蔵室とを仕切る仕切断熱部材と、前記冷凍室の奥部に位置して冷却器を収納する冷却器室と、前記冷凍室と前記冷却器室とを区画する着脱可能な区画部材と、該区画部材の前方に位置し前記冷凍室を左右に仕切る左右仕切部材と、該左右仕切部材で仕切られた空間を夫々開閉する扉と、該扉に夫々設けられた扉枠と、該扉枠に夫々支持された収納容器と、を備えた冷蔵庫において、前記左右仕切部材の下部の左右に設けられ前記扉枠を夫々支持するレールを有し、前記左右仕切部材の上部は前記仕切断熱部材に取り付けられ、且つ前記区画部材との間に該区画部材を取り外す空間を有するように設けられ、前記左右仕切部材と前記冷蔵庫内側面との間隔寸法を保持する保持部材を備たことを特徴とする。
【００１１】
また、前記保持部材の一端は前記左右仕切部材と係合し、該保持部材の他端は前記左右仕切部材により左右に仕切られた空間のうち幅寸法の小さい空間側の前記冷蔵庫内壁に取り付けたことを特徴とする。
【００１２】
また、前記保持部材の一端は前記左右仕切部材と係合し、該保持部材の他端は前記左右仕切部材により左右に仕切られた空間のうち負荷重量の小さい空間側の前記冷蔵庫内壁に取り付けたことを特徴とする。
【００１３】
また、前記保持部材の一端は前記左右仕切部材と係合し、該保持部材の他端は前記冷凍室の前方で且つ前記冷凍室の開口の幅方向に設けられた上下仕切部材に取り付けたことを特徴とする。
【００１４】
また、前記レールのうち少なくとも一方が、前記仕切断熱部材と前記左右仕切部材の係合部よりも前記左右仕切部材で仕切られた空間のどちらかに突出したことを特徴とする。
【発明の効果】
【００１５】
本発明は、貯蔵容器の奥に収納された食品を容易に取り出し可能であって、且つ保守点検等のサービス作業が容易な冷蔵庫を得ることができる。
【図面の簡単な説明】
【００１６】
【図１】本発明の第一の実施形態に関する冷蔵庫の正面図。
【図２】製氷室及び第二の冷凍室の要部横断面図。
【図３】第二の冷凍室の扉を閉じた状態を示す要部縦断面図。
【図４】第二の冷凍室の扉を開けた状態を示す要部縦断面図。
【図５】図４のＰ部詳細図。
【図６】図３のＱ部詳細図。
【図７Ａ】図３のＲ部詳細図。
【図７Ｂ】図７Ａの左右仕切部材の要部拡大図。
【図８】製氷室扉の扉枠の分解図。
【図９】区画部材を着脱する過程の説明図。
【図１０】各扉を取り外した状態の冷蔵庫本体の部分正面図。
【図１１Ａ】図１０において保持部材を備えた状態を示す冷蔵庫本体の部分正面図。
【図１１Ｂ】図１１Ａの保持部材の拡大斜視図。
【図１２】図１１Ａにおける側面固定部の拡大図。
【図１３】左右仕切部材と保持部材との係合部を示す平面図。
【図１４】左右仕切部材と保持部材との係合部を示す要部断面図。
【図１５】第二の実施形態に関する保持部材の別形態を示す平面図。
【発明を実施するための形態】
【００１７】
以下本発明の実施例を図により説明する。図１，図２，図３において、冷蔵庫本体１は、上から冷蔵室２を閉じる左右に開閉する右扉２ａと左扉２ｂよりなる冷蔵室扉と、製氷室扉５で閉じられた製氷室３と、第二の冷凍室扉６で閉じられた第二の冷凍室４と、第一の冷凍室扉７で閉じられた第一の冷凍室２７と、野菜室扉８で閉じられた野菜室８ａとを備えている。
【００１８】
製氷室３と第二の冷凍室４とは左右に並んで設けられている。なお、製氷室３，第二の冷凍室４及び第一の冷凍室２７は、連通する貯蔵空間内に設けられている。冷蔵室扉（右扉２ａ，左扉２ｂ）は左右に開閉するフレンチドアであって、それ以外の扉は前後方向にスライド開閉して、夫々の貯蔵室内の容器（貯氷容器１５，貯蔵容器２５等）を引き出し可能にしている。
【００１９】
次に図２，図３，図４，図７において、上方空間に位置する製氷室３及び第二の冷凍室４と、下部空間に位置する第一の冷凍室２７とが同じ貯蔵空間内に設けられている。以下、単に冷凍室といった場合、これら三室のことをさす。これら三室の間は連通しており、冷気や熱等を遮断する構成になっていない。製氷室３と第二の冷凍室４とを左右に仕切る左右仕切部材９は、製氷室扉５と第二の冷凍室扉６に取り付けられる貯氷容器１５，貯蔵容器２５を引き出し可能とする手段を構成するために設けられている。
【００２０】
なお、目的に応じて、第一の冷凍室２７と他の室とを薄板で仕切ることも考えられるが、各室の温度は冷凍室温度とほぼ同じ温度になる。左右仕切部材９の前端部は、製氷室扉５の庫内側と第二の冷凍室扉６の庫内側とにそれぞれ設けられたパッキングが接触する縦仕切り部材１０に結合される。この縦仕切り部材１０の表面は薄板鉄板等で作られ前記パッキングのゴム磁石の着磁面となる。更にこの縦仕切り部材１０内には着磁面に結露水が着くのを防止するための加熱手段（凝縮器パイプ若しくは電気ヒーター）が配設されている。このため、縦仕切り部材１０及びこれに連なる横仕切り部材１１は、冷蔵庫本体１から取り外しできない。
【００２１】
冷凍室の奥部には、冷却器室２２が設けられ、その内部に冷却器２３，冷気循環用の送風機２３ａ，ガラス管ヒーターやシーズヒーター等の加熱手段である除霜装置が設置される。
【００２２】
また、左右仕切部材９は、図３に示す如く前端部が縦仕切り部材１０及び横仕切り部材１１に螺子等（図示せず）を用いて固定され、後端上面を冷凍室の上面１ｂに固定する。この冷凍室の上面１ｂには、図７Ａに図示の係合部材１３が、螺子１２等の固定手段で固定されている。この係合部材１３に、図７Ａ及び図７Ｂに図示の形状の左右仕切部材９の上端係合部９ｂが係合して固定される。冷凍室の上面１ｂは、冷蔵庫内箱１ａに組み込む冷蔵室２と冷凍室間を断熱仕切る第二の水平仕切断熱部材２６によって形成される。
【００２３】
また、左右仕切部材９の後端面９ａ（図４参照）は、製氷室３（第二の冷凍室４）の奥行き寸法Ｌ１に対し、Ｌ１−５０mmに位置している。
【００２４】
次に、自動製氷機１４は、製氷室３の冷凍室の上面１ｂに着脱可能に設けられ、冷蔵室２等に設けられた冷水タンク（図示省略）から製氷部１４ａ（製氷皿）に給水されて製氷する。この製氷した氷は、製氷部（製氷皿）１４ａの下方に設置された貯氷容器１５内に自動的に落下させて貯氷する。この自動製氷機１４の後端も、左右仕切部材９の後端面９ａと同様に製氷室３の奥行き寸法Ｌ１に対し、Ｌ１−５０mmの位置に位置している。従って、自動製氷機１４の製氷部（製氷皿）１４ａと、後述する区画部材１９の前面に形成され冷却器２３からの冷気を製氷部１４ａ等に吹き出す上部吹出口１９ａとの間に、５０mm以上の空間が形成される。
【００２５】
この製氷部１４ａと上部吹出口１９ａとの間の５０mm以上の空間を小さくするために、区画部材１９から製氷部１４ａ側の空間に突出するように冷気ダクトを設けている。
【００２６】
１６は左右仕切部材９に一体に設けられた仕切レール部であり、製氷室３側と第二の冷凍室４側とにそれぞれ設けられる（図２参照）。本実施例では、部品点数の削減及び強度を大きくするために、仕切レール部１６を左右仕切部材９に一体に設けているが、別体であってもよい。
【００２７】
この仕切レール部１６とほぼ同じ高さ位置に、冷蔵庫内箱１ａの左右の側壁それぞれに内箱レール部１７が設けられる。これら仕切レール部１６と内箱レール部１７とで、貯氷容器１５を支持する扉枠１８を庫内前後方向に移動することができる。仕切レール部１６と内箱レール部１７は、断面形状がコ字状の溝（空間）によって形成される。
【００２８】
この仕切レール部１６及び内箱レール部１７を形成する溝の下面側と上面側との間に、後述する第一，第二のスライドピースが位置し、庫内の前後方向に摺動する。尚、本実施の形態では製氷室３で説明しているが、第二の冷凍室４でも同様の構成にすることで、同様の効果を奏することができる。
【００２９】
扉枠１８は、製氷室扉５及び第二の冷凍室６に螺子止め等で固定され、製氷室扉５に取り付けられる貯氷容器１５，貯蔵容器２５を引き出し式としている。即ち、貯氷容器１５が扉枠１８に支持され、製氷室扉５の移動に伴って貯氷容器１５が室外に引き出される。扉枠１８は、薄板鉄板を折り曲げ・プレス加工等の塑性加工により形成し、省スペースで強度確保している。
【００３０】
尚、扉枠１８を支持するレールは、仕切レール部１６と内箱レール部１７とで説明しているが、これに限定するものではない。すなわち、仕切レール部１６と対をなす位置に設けられていればよく、冷蔵庫内箱１ａに限るものではない。
【００３１】
左右仕切部材９の寸法は、その後端と区画部材１９との間に区画部材１９を着脱可能にする空間を形成する寸法で、且つ、扉枠１８の寸法よりも小さい寸法である。この扉枠１８の後端に第一，第二のスライドピース２０，２１が夫々取り付けられ、扉の閉状態時（図６参照）、第二のスライドピース２１の一端部が仕切レール部１６後端部の上に位置するとともに、第二のスライドピース２１の他端部が仕切レール部１６の後端面１６ａよりも後方に位置するようにしている。
【００３２】
冷凍室の奥部には、冷却器２３，冷気循環用送風機２３ａ、ガラス管ヒーター・シーズヒーター等の加熱手段である除霜装置、その他の電気品が設置された冷却器室２２を備えている。この冷却器室２２と冷凍室を、区画部材１９で区画している。そして、この冷却器室２２には、除霜装置を含む電気品が設置されている関係上、区画部材１９は保守点検等のサービス時、取り外し可能であることが必要である。区画部材１９の取り外し時、例えば、区画部材１９を小さく分割した構造にすれば着脱作業は容易になる。しかし、区画部材１９に分割箇所が多くなると、その合わせ目に生じる空間（隙間）は冷気漏れの原因になる。しかも、部品点数が増えてコストアップになる。これらのことから、冷凍室と冷却器室２２とを一体の区画部材１９で区画している。本実施例は、この一体の区画部材１９の着脱を容易にするものである。以下、図５，図６，図８，図９を参照しながら、その構造の詳細を説明する。
【００３３】
まず図８において、扉枠１８に付いて説明する。この扉枠１８の奥行き寸法は、冷蔵庫内箱１ａの側壁に設けられた内箱レール部１７に合わせてほぼ同じ寸法に作られている。また、仕切レール部１６より長く形成されている（例えば、内箱レール部１７の方が仕切レール部１６よりも４５mm位長い）。つまり、貯氷容器１５は、仕切レール部１６の奥行き寸法よりも４５mm長く室外に引き出される。これにより、貯氷容器１５を４５mm多く引き出せる分、使い勝手が向上する。
【００３４】
また、この扉枠１８は、貯氷容器１５の後端を支持する奥部枠１８ｃと、奥部枠１８ｃの内箱レール部１７側に取り付けられる第一の側部枠１８ａと、奥部枠１８ｃの仕切レール部１６側に取り付けられる第二の側部枠１８ｂと、を略コ字形状に組み合わせている。
【００３５】
そして、このコ字状に組み合わせた扉枠１８は、第一の側部枠１８ａと第二の側部枠１８ｂにそれぞれ有する取り付け部１８ｄによって製氷室扉５側に螺子止め固定されている。製氷室扉５を引き出す動作に伴って、貯氷容器１５を保持する扉枠１８が仕切レール部１６，内箱レール部１７上を移動する（図２参照）。
【００３６】
２０は第一の側部枠１８ａの冷蔵庫内箱１ａ側に取り付けられた第一のスライドピースで、例えば樹脂で作られた円筒形の部材である。この第一のスライドピース２０は、内箱レール部１７のレール下面を移動するよう長手部の冷蔵庫内箱１ａ側の面よりも外側（内箱側）に位置するように取り付けられている。また、第一のスライドピース２０は、第一の側部枠１８ａを介して奥部枠１８ｃの端部に螺子等で固定されている。
【００３７】
２１は樹脂製の第二のスライドピースで、先に説明したとおり、内箱レール部１７が仕切レール部１６よりも４５mm位長いので、その差を補うことを可能とする約１００mmの長さの棒状体としている。この第二のスライドピース２１は、その後部に円筒形の円筒部２１ａと、円筒部２１ａ前方の棒状部２１ｃ、この棒状部２１ｃの前部上面に第二の側部枠１８ｂへの取り付け部となる爪２１ｂを有している。
【００３８】
また、円筒部２１ａは、仕切レール部１６下面側に接する面が棒状部２１ｃと同じ面にあり、仕切レール部１６上面側の面が棒状部２１ｃより上方に突出し、断面略コ字形状の仕切レール部１６の溝幅内で円筒部２１ａが左右に傾き過ぎないよう構成されている。
【００３９】
そして、第二のスライドピース２１の円筒部２１ａは、第二の側部枠１８ｂを介して螺子等を用いて奥部枠１８ｃの仕切レール部１６側端部に固定され、第二の側部枠１８ｂへの取り付け部となる前部に有する爪２１ｂが第二の側部枠１８ｂに係止し固定されている。
【００４０】
また、第二のスライドピース２１の円筒部２１ａと、円筒形の第一のスライドピース２０とは、ほぼ同じ位置（高さ，奥行き）で対向している。
【００４１】
第二のスライドピース２１の円筒部２１ａと棒状部２１ｃとは、仕切レール部１６内を移動するよう第二の側部枠１８ｂの仕切レール部１６側の面よりも外側に位置するように取り付けられている。これにより、内箱レール部１７より４５mm短く形成された仕切レール部１６内であっても、第二のスライドピース２１は仕切レール部１６内の移動が可能となる。
【００４２】
即ち、製氷室扉５を閉めた時の第二のスライドピース２１と仕切レール部１６との係合状態を示す図６には、扉枠１８に取り付けられた第二のスライドピース２１の棒状部２１ｃが、仕切レール部１６後端上に位置する。そして、第二のスライドピース２１の円筒部２１ａは、仕切レール部後端面１６ａよりも４５mm奥方向の空間に位置する。尚、区画部材１９は、扉枠１８の後端よりも５０mm奥に位置する。
【００４３】
一方、製氷室扉５を引き出し操作すると、図４，図５に示す如く第二のスライドピース２１の棒状部２１ｃと円筒部２１ａとが仕切レール部前端面１６ｂ側の仕切レール部１６内に位置するので、製氷室扉５が仕切レール部１６より外れて落下することがない。これにより、仕切レール部１６が扉枠１８より短くとも、製氷室扉５の引き出し操作に伴って引き出される貯氷容器１５の使い勝手は十分に確保される。
【００４４】
この製氷室扉５に取り付けられた扉枠１８と貯氷容器１５は、冷蔵庫本体から引き出して取り外し可能である。例えば、容器清掃時や必要な場合に、扉枠１８を仕切レール部１６，内箱レール部１７と分離して冷蔵庫本体から取り外し、清掃を行うことができる。
【００４５】
以上、本実施の形態においては、第二のスライドピース２１を第二の側部枠１８ｂに取り付けた例で説明してきた。これと同様に、第一の側部枠１８ａ側も、第一のスライドピース２０の代わりに第二のスライドピース２１を取り付け、スライドピースの共用化を図ってもよい。更に、前記説明は製氷室扉５の引き出し動作に伴って引き出される容器を説明してきたが、他の室でも同様の構成であれば同じ効果が得られる。
【００４６】
また、図８に示す如く、第二のスライドピース２１の下面部には、製氷室扉５（もしくは第二の冷凍室扉６）の閉じ動作中に、扉枠１８の後端を庫内奥側に滑り移動させる力を発生させるための傾斜面２１ｄを備えている。すなわち、傾斜面２１ｄの傾斜方向が、前記仕切レール部後端面１６ａの角部上に傾斜面２１ｄが位置すると、庫内奥側に滑り移動（摺動）させる力を発生する方向に形成されている。この傾斜面２１ｄにより庫内奥側に滑り移動（摺動）することによって、円筒部２１ａが庫内奥側に移動して円筒部２１ａ下面が仕切レール部１６の下面側よりも下方向に下がり、扉枠１８の後端が庫内奥側に滑り移動する。このように、第二の側部枠１８ｂに取り付けた第二のスライドピース２１の下面部の傾斜面２１ｄは、半ドア防止用のクローザーを構成するものである。なお、第二の側部枠１８ｂに対向する第一の側部枠１８ａには、同様の傾斜面（図示省略）を設けている。
【００４７】
次に図９を用いて区画部材１９の着脱について説明する。この区画部材１９は、冷却器室２２と冷凍室（第二の冷凍室４，製氷室３を含む）とを区画するもので、少なくとも横幅寸法が冷凍室の前面間口より僅かに小さい。
【００４８】
なお、上記第二のスライドピース２１の一端を円筒部２１ａとしたが、円筒形状である必要はなく、円柱、或いはそれ以外の形状でも仕切レール部１６の下面側・上面側と接する面が円弧部を有すればよい。
【００４９】
また、冷却器室２２には冷却器２３の他、冷気循環用送風機２３ａ，電気品，除霜装置等が設けられている。このため、区画部材１９を着脱しての保守点検等のサービスができる構造が必須となる。このとき、本実施例は先に説明した如く、製氷室３と第二の冷凍室４の扉を外せば、左右仕切部材９を取り外すことなく区画部材１９を着脱することができる。
【００５０】
以下、図９に基づいて説明する。修理，点検等のサービス時には、製氷室扉５，第二の冷凍室扉６，第一の冷凍室扉７を冷蔵庫本体１から取り外す。このとき、左右仕切部材９の後端面９ａと区画部材１９との間には、約５０mmの空間が確保される。この状態で、区画部材１９を冷凍室外に取り外すときには、区画部材１９の底部爪１９ｂと第一の水平仕切断熱部材２４側に設けられた係止部との係止関係を解除する。
【００５１】
次いで、この区画部材１９の底部（下端）を破線Ｉの位置まで引き出す。これにより、区画部材１９上部と冷凍室の上面１ｂとの係止関係を解除できる。この係止関係が解除された後、前記区画部材１９の底部（下端）を、区画部材１９の上部を基準に破線IIの位置まで区画部材１９を手前側に回動させるようにして引き出す。この際は、区画部材１９を手前側に回動させるようにして引き出さないと、５０mmの空間では足らず区画部材１９と左右仕切部材９の後端面９ａとが接触してしまい、場合によっては区画部材１９を引き出せない。次いで、区画部材１９の上部を下げるようにして、破線III，破線IVの位置まで回動させて引き出す。
【００５２】
そして、区画部材１９の上部が左右仕切部材９の後端面９ａより下方の位置に達した所で、区画部材１９を水平方向にして冷凍室外に取り出す。区画部材１９と左右仕切部材９の後端面９ａとの空間５０mmは、このときに必要となる寸法であるが、この寸法は区画部材１９および左右仕切部材９の高さ寸法及び形状などにより変るものであるので、５０mmに限定されるものでない。すなわち、区画部材１９と左右仕切部材９の後端面９ａとの間に、区画部材１９を取り外すために必要な空間が設けられていればよい。
【００５３】
区画部材１９と左右仕切部材９の後端面９ａとの空間（例えば５０mm）を小さくする手段としては、区画部材１９を、左右仕切部材９に対向する箇所を反左右仕切部材９側に窪ませ、区画部材１９の着脱時、左右仕切部材９の後端面９ａをその窪みで吸収することで可能となる。
【００５４】
また、左右仕切部材９の後端下部に大きな丸みを付けることで、区画部材１９の取り出しは容易となり、或いは区画部材１９と左右仕切部材９の後端面９ａとの空間を小さくすることができる。
【００５５】
次に図１０は、冷蔵庫本体１から製氷室扉５，第二の冷凍室扉６，第一の冷凍室扉７を取り外した状態を示す部分正面図である。
【００５６】
左右仕切部材９は、図２及び図１０に示すとおり、冷凍室の上面１ｂに係合する左右仕切部材９の上端係合部９ｂを通る鉛直線に対して平行ではない形状、具体的には傾斜部分と偏心部分を有する形状をしている。つまり、左右仕切部材９の上端係合部９ｂを通る鉛直線と、第二の冷凍室４側に位置する仕切レール部１６を通る鉛直線が偏心している。これによって、左右仕切部材９の仕切レール部１６は、上端係合部９ｂに対して、貯蔵容器２５側、即ち、幅寸法の大きい貯蔵室側に突出した形状となっている。
【００５７】
左右仕切部材９を一方の貯蔵室側に突出した形状とすることで、左右に隣接する製氷室３と第二の冷凍室４の幅寸法を調節することが容易となる。例えば、左右仕切部材９を、一方の貯蔵室側に突出する寸法の異なるものを複数用意し、必要な貯蔵容器の容量に合う左右仕切部材９を取り付けることで、貯蔵容器の容量の異なる冷蔵庫を提供できる。つまり、必要な貯蔵容器の容量に合った左右仕切部材９を取り付けることで、複数の機種での部品の共用化ができる。
【００５８】
左右仕切部材９と第二の水平仕切断熱部材２６とを係合させる螺子１２及び係合部材１３の設置場所を、左右の貯蔵室の幅寸法に対応させて変更する必要がなくなる。これによって、様々なタイプの冷蔵庫箱体で第二の水平仕切断熱部材２６を共用することができ、製造コストを抑えつつ使用者のニーズに応じた冷蔵庫を提供できる。
【００５９】
ここで、食生活の変化により、冷凍室の貯蔵容器への食品収納容積が年々大きくなってきている。こうしたことから、冷凍室の貯蔵容器に食品を沢山収納した場合の荷重は、今まで考慮されていた以上の大きな荷重になってきている。
【００６０】
ところが、上記実施例のように、修理，点検サービスの作業性を向上させるために、左右仕切部材９の後端面９ａと区画部材１９とを接続させない構成にすると、以下のことが生じる虞のあることを見出した。
【００６１】
すなわち、貯蔵容器２５に食品を沢山収納した場合は、左右仕切部材９及び左右仕切部材９を固定した第二の水平仕切断熱部材２６に今まで予測していないような大きな荷重が集中する。この貯蔵容器２５に収納される食品の荷重によって、左右仕切部材９と第二の水平仕切断熱部材２６との係合部付近である上端係合部９ｂを中心に、左右仕切部材９が製氷室３側へ動く回転方向の力が働く。
【００６２】
つまり、左右仕切部材９の形状が鉛直線に対して平行な形状の場合であっても、仕切レール部１６は左右仕切部材９の左右両側に設けられているため、必然的に中心鉛直線よりも貯蔵容器２５側に少しずれて位置する。したがって、左右仕切部材９が製氷室３側へ動く回転方向の力が働くことは避けられない。
【００６３】
この回転方向の力が加わることで、左右仕切部材９が二点鎖線で示すように傾いてしまう虞と、この左右仕切部材９を上方から支持する第二の水平仕切断熱部材２６の変形や撓みの虞がある。
【００６４】
しかも、本発明の実施形態の構成の場合は、前記のとおり左右仕切部材９が、仕切レール部１６を貯蔵容器２５側（第二の冷凍室４側）に突出した形状としている。この場合、突出した側に位置する貯蔵容器２５に収納された食品の荷重が加わると、左右仕切部材９に加わる負荷は、左右仕切部材９の形状が鉛直線に対して平行な形状の場合と比較して大きくなる。つまり、左右仕切部材９が上端係合部９ｂを中心に製氷室３側へ回転する回転方向の力が大きくなる。したがって、上記二点鎖線で示す左右仕切部材９の傾きがより大きくなり、この左右仕切部材９を上方で支持する第二の水平仕切断熱部材２６の変形も大きくなる虞がある。これは、第二の冷凍室４側に突出させる寸法が大きいほど顕著になる。
【００６５】
このように、突出した側に位置する貯蔵容器２５及び収納された食品の荷重が加わると、左右仕切部材９に加わる負荷は、左右仕切部材９の形状が鉛直線に対して平行な形状の場合と比較して大きくなる。図２及び図１０に図示の実施形態の場合は、第二の冷凍室４が製氷室３よりも幅寸法が大きく設けられている。この第二の冷凍室４の貯蔵容器２５の容量は、例えば約２０Ｌであり、密度の高い食品（例えば、生肉の塊）であれば重量約１０ｋｇの食品を貯蔵することができる。この食品の重量（荷重）が第二の冷凍室４側に位置する仕切レール部１６に加わると、左右仕切部材９の上端部の上端係合部９ｂと第二の水平仕切断熱部材２６との係合部近辺に大きな負荷荷重がかかり、上記傾きや変形を生じる要因になる。
【００６６】
この傾きや変形を生じた場合は、左右仕切部材９下部の仕切レール部１６と冷蔵庫内箱側の内箱レール部１７との間の間隔寸法が大きくなってしまう。そして、この間隔寸法が大きくなると、扉枠１８若しくは第一・第二のスライドピースのいずれかが、レールから脱落する若しくは引き出し操作中に左右に動いて扉枠１８をスムーズに引き出し難くなることが新たに考えられる。
【００６７】
上記左右仕切部材９の傾きの虞と、この左右仕切部材９を上方から支持する第二の水平仕切断熱部材２６の変形を抑制し、問題の生じないようにするには、大きな荷重が加わっても傾きや変形を生じない剛性の大きな材料若しくは厚みを大きくすればよい。
【００６８】
例えば、第二の水平仕切断熱部材２６の高さ方向の厚みを増す、若しくは、左右仕切部材９の上端部（第二の水平仕切断熱部材２６との係合部近傍）の幅寸法を大きくし、第二の水平仕切断熱部材２６との接触幅寸法を大きくすることが考えられる。また、第二の水平仕切断熱部材２６の材質を剛性の大きな金属等に変更して強度を増すことも考えられる。しかし、剛性の大きな材料は、材料が高価になると共に加工時間が増大し、消費者の負担が大きくなってしまう。また、厚みや幅寸法を大きくすると、収納容積がその分小さくなってしまうことになる。よって、前記いずれの手段も好ましいとはいえない。
【００６９】
そこで、これ等をも考慮した構成を、図１１から図１４により以下に説明する。実質的には、図１０の実施形態の構成と殆ど同じである。
【００７０】
前記のとおり、食品の重量（荷重）が第二の冷凍室４側に位置する仕切レール部１６に加わると、左右仕切部材９の上端部の上端係合部９ｂと第二の水平仕切断熱部材２６との係合部近辺に大きな負荷荷重がかかる。
【００７１】
そして、左右仕切部材の後端９ａと、これと対向するように区画部材１９の上方部の前面側との間に空間を形成する場合、貯蔵容器２５に加わる食品重量の負荷は、特に、左右仕切部材９の上端部が保持される第二の水平仕切断熱部材２６に加わる。即ち、図１０の二点鎖線で示すとおり、左右仕切部材９は、上端係合部９ｂを中心に製氷室３方向に回動して傾こうとする。
【００７２】
そこで、図１１Ａ，図１１Ｂに示すとおり、左右仕切部材９の下端部の下端固定部９ｃと冷蔵庫内箱１ａの側面との間に保持部材２８を設ける。具体的には、この保持部材２８の一方の端部の第一の固定部２８ａを、左右仕切部材９の下端部の下端固定部９ｃの凹みに収納するようにして螺子１２ａで固定する。
【００７３】
そして他方の端部の第二の固定部２８ｃを、冷蔵庫内箱１ａの側面に設けた側面固定部２９の収納凹部３０に係合して取り付ける。これにより、左右仕切部材９は、第二の水平仕切断熱部材２６の下面に取り付けた上端係合部９ｂと、下端部の下端固定部９ｃと製氷室３側の冷蔵庫内箱１ａの側面の側面固定部２９との間に取り付けた保持部材２８とで保持されて、仕切レール部１６への食品重量による回転方向の力に対する強度を増すことができ、左右仕切部材９や第二の水平仕切断熱部材２６の変形，歪み，撓み，捩じり等を抑制することができる。
【００７４】
前記保持部材２８は、本実施例のものは例えば、鉄板製で厚さ寸法が約２mm、第一の固定部２８ａの短辺が３０mmで長辺が５０mm、第二の固定部２８ｃの短辺が２０mmで長辺が９０mm、第一の固定部２８ａと第二の固定部２８ｃを連結する部分の幅寸法は５０mmで長さ寸法は２３０mmある。これらの寸法は、製氷室の幅寸法、その他の寸法や条件に応じて変る。
【００７５】
前記左右仕切部材９の下端固定部９ｃの凹みは、保持部材２８の一方の端部の第一の固定部２８ａが収納できる寸法に形成されている。この下端固定部９ｃの凹みにより強度が低下するのを抑制するために、リブ９ｄを左右仕切部材９の奥行き方向に複数設けている。この複数のリブ９ｄの間隔寸法は、第一の固定部２８ａの短辺と長辺の寸法よりも１mm〜２mm大きくして、収納作業性を低下させずに位置決め機能を持たせる工夫もしている。
【００７６】
保持部材２８は、前記下端固定部９ｃの凹み内で第一の固定部２８ａが大きく動かないように係合突部２８ｂを設けている。保持部材２８の材料は、価格及び高い剛性，加工性の点から、一般的な鉄板を用いている。鉄板以外では、アルミ合金等の剛性の高い金属や強化プラスチックなどの剛性の高い合成樹脂材料が好ましい。
【００７７】
また、本実施の形態において、保持部材２８は、左右仕切部材９によって左右に仕切られた貯蔵室のうち、幅寸法の小さい貯蔵室（本実施の形態においては製氷室３）側に設けられている。前記のとおり、保持部材２８の一方の端部の第一の固定部２８ａを左右仕切部材９の下端固定部９ｃに、他方の端部の第二の固定部２８ｃを冷蔵庫内箱１ａに取り付けている。貯蔵容器２５に荷重が加わると、上端係合部９ｂを中心に左右仕切部材９が製氷室３方向に動く回転方向の力が働く。この左右仕切部材９の回転方向の力の働きによって、左右仕切部材９が傾こうとする。しかし、左右仕切部材９の下端部が、保持部材２８の一方の端部の第一の固定部２８ａで支持され、他端を冷蔵庫内箱１ａに固定された保持部材２８の第二の固定部２８ｃによって支持されているので、左右仕切部材９の傾きを抑制している。
【００７８】
ここで、保持部材２８を幅寸法の大きい貯蔵室（第二の冷凍室４）側の冷蔵庫内箱１ａに取り付けた場合を想定して説明する。貯蔵容器２５に荷重が加わると、図１０のように左右仕切部材９が製氷室３側に傾くとともに、保持部材２８の一端が取り付けられた冷蔵庫内箱１ａが左右仕切部材９側に引っ張る力が働く。このとき、一般的に冷蔵庫箱体は、冷蔵庫内箱１ａと外箱との間に発泡断熱材が充填されている。冷蔵庫内箱１ａを下方向に引っ張る力が働くことで、発泡断熱材と冷蔵庫内箱１ａとが剥離し、断熱性能の低下を招く。従って、保持部材２８は幅寸法の小さい貯蔵室側の冷蔵庫内箱１ａに取り付けることが望ましい。
【００７９】
尚、上記では、幅寸法の小さい貯蔵室側に保持部材２８を備えた例で説明したが、貯蔵容器の負荷重量の小さい貯蔵物を収納する貯蔵室側に保持部材２８を備えれば同様の効果を得ることができる。
【００８０】
左右仕切部材９の上端部の第一の固定部２８ａは、第二の水平仕切断熱部材２６に係止部材１３によって支持されている（上端係合部９ｂ）。この上端係合部９ｂが設けられる柱部の下方に、左右仕切部材９の下端部が支持される下端固定部９ｃが設けられる。即ち、保持部材２８の庫内前後方向の取り付け位置は、庫内奥側寄りに位置する。これにより、保持部材２８の庫内前後方向の取り付け位置を、庫内手前側に位置した場合よりも強固なものとなり、左右仕切部材９の前端部と縦仕切部材１０との係合部を中心点として、左右仕切部材９が回転して傾くことを抑制する。
【００８１】
保持部材２８を冷蔵庫内箱１ａに取り付ける際は、図１２に示すように、冷蔵庫内箱１ａの側面に、上部に差し込み穴を有する収納凹部３０を設け、その収納凹部３０に保持部材２８を上方から差し込んで固定する構造だと組み立て作業が容易である。台数少ない場合やその他の理由によっては、螺子止めによる固定でも問題ない。
【００８２】
また、左右仕切部材９の下端部に保持部材２８を取り付ける場合、図１３及び図１４に示すように螺子止めによる固定の他、左右仕切部材９の下端部に図１２のようにしっかり係合する構造の収納凹部を設け（図示なし）、この収納凹部に保持部材２８の端部を差し込んで固定する構造でもよい。
【００８３】
上記第一の実施形態により、貯蔵容器への荷重による左右仕切部材の傾きや変形を抑制し、左右に仕切られた室の幅寸法の大きい貯蔵室側に位置する扉のスライドピースがレールから脱落することを抑制するとともに、幅寸法の小さい室の扉をスムーズに引き出すことができる。
【００８４】
次に、図１５に示す第二の実施形態のように、保持部材３１の左右仕切部材９に取り付けられていない方の端部を横仕切り部材１１に取り付けても、第一の実施形態の冷蔵庫内箱１ａに保持部材２８のを取り付けた構造と同様の強度を得ることができる。左右仕切部材９の下端部に取り付けられた保持部材３１は、更に、庫内前方に位置する上下仕切部材１１に取り付けられる。図１５に示すように、上下仕切部材１１の製氷室３側と第二の冷凍室４側の両方に接続されるＶ字形状が最も強度を増すことができるが、どちらか一方のみ（例えば、幅寸法の小さい貯蔵室側である製氷室３側）に接続しても十分な強度を得ることができる。
【００８５】
また、本実施の形態では、冷蔵庫の貯蔵室を上方から冷蔵室，冷凍室，野菜室の順に設けているが、これら貯蔵室の配置は特に限定しておらず、例えば、冷蔵室の下方に野菜室が位置し、その野菜室の下方に冷凍室が位置しても構わない。
【符号の説明】
【００８６】
１  冷蔵庫本体
１ａ  冷蔵庫内箱
１ｂ  冷凍室の上面
２  冷蔵室
２ａ  右扉
２ｂ  左扉
３  製氷室
４  第二の冷凍室
５  製氷室扉
６  第二の冷凍室扉
７  第一の冷凍室扉
８  野菜室扉
９  左右仕切部材
９ａ  後端面
９ｂ  上端係合部
９ｃ  下端固定部
１０  縦仕切り部材
１１  横仕切り部材
１２，１２ａ  螺子
１３  係合部材
１４  自動製氷機
１４ａ  製氷部（製氷皿）
１５  貯氷容器
１６  仕切レール部
１６ａ  レール部後端面
１６ｂ  レール部前端面
１７  内箱レール部
１８  扉枠
１８ａ  第一の側部枠
１８ｂ  第二の側部枠
１８ｃ  奥部枠
１８ｄ  取り付け部
１９  区画部材
１９ａ  上部吹出口
１９ｂ  底部爪
２０  第一のスライドピース
２１  第二のスライドピース
２１ａ  円筒部
２１ｂ  爪
２１ｃ  棒状部
２１ｄ  傾斜面
２２  冷却器室
２３  冷却器
２３ａ  送風機
２４  第一の水平仕切断熱部材
２５  貯蔵容器
２６  第二の水平仕切断熱部材
２７  第一の冷凍室
２８，３１  保持部材
２８ａ  第一の固定部
２８ｂ  係合突部
２８ｃ  第二の固定部
２９  側面固定部
３０  収納凹部
【図１】
2011058759.tif 000003
【図２】
2011058759.tif 000004
【図３】
2011058759.tif 000005
【図４】
2011058759.tif 000006
【図５】
2011058759.tif 000007
【図６】
2011058759.tif 000008
【図７Ａ】
2011058759.tif 000009
【図７Ｂ】
2011058759.tif 000010
【図８】
2011058759.tif 000011
【図９】
2011058759.tif 000012
【図１０】
2011058759.tif 000013
【図１１Ａ】
2011058759.tif 000014
【図１１Ｂ】
2011058759.tif 000015
【図１２】
2011058759.tif 000016
【図１３】
2011058759.tif 000017
【図１４】
2011058759.tif 000018
【図１５】
2011058759.tif 000019